(57)【特許請求の範囲】
【請求項１】
複数の硬貨を収容することができ、側面に開口を有する収容部と、
前記収容部の開口を通過するようこの収容部の底部に配設され、無端状に形成されて循環移動を行い、前記収容部に収容された硬貨を前記開口から外方へ搬送するベルトコンベアと、
前記ベルトコンベアの上方において前記収容部の開口を塞ぐよう設けられ、当該ベルトコンベアによる硬貨の搬送方向に対して逆方向に回転する逆転ローラであって、前記硬貨の厚さよりも幅が大きく当該逆転ローラの軸に対する垂直面に対して斜め方向に延びる溝を表面に有する逆転ローラと、
を備えたことを特徴とする硬貨処理機構。
【請求項２】
前記逆転ローラの溝は螺旋形状となっていることを特徴とする請求項１記載の硬貨処理機構。
【請求項３】
前記逆転ローラの溝は、螺旋形状となっている第１の溝部分と、前記第１の溝部分における螺旋形状に対して逆向きに巻くような螺旋形状となっている第２の溝部分とを有することを特徴とする請求項１記載の硬貨処理機構。
【請求項４】
前記逆転ローラは、当該逆転ローラの軸に対する垂直面に対して斜め方向に延びる溝の他に、当該逆転ローラの軸に対する垂直面に沿って延びる溝を更に有することを特徴とする請求項１記載の硬貨処理機構。
【請求項５】
請求項１乃至４のいずれか一項に記載の硬貨処理機構を備え、当該硬貨処理機構から送られた硬貨を内部に収納するとともに、収納した硬貨の投出を行うよう構成されていることを特徴とする硬貨収納投出装置。
【発明の詳細な説明】
【技術分野】
【０００１】
本発明は、硬貨処理機構およびこの硬貨処理機構を備えた硬貨収納投出装置に関し、とりわけ、受入口から受け入れられた硬貨を一層一列状態で繰り出すことができる硬貨処理機構およびこの硬貨処理機構を備えた硬貨収納投出装置に関する。
【背景技術】
【０００２】
従来より、硬貨釣銭機として、顧客からの預かり硬貨の入金および釣銭硬貨の出金を行うように構成された硬貨収納投出装置が知られている（例えば、特許文献１等参照）。このような硬貨収納投出装置においては、入金動作を行う際に、まず硬貨が受入口に受け入れられ、この受け入れられた硬貨は硬貨繰入機構により一層一列状態で硬貨収納投出装置の内部に繰り入れられるようになっている。
【０００３】
硬貨繰入機構は、受入口の下方に配設されたホッパと、ホッパの底部に設けられた平ベルトと、平ベルトの上方にわずかに離間して設けられた逆転ローラとを有している。平ベルトは、受入口から受け入れられホッパに収容された硬貨を硬貨収納投出装置の内部に向かって搬送するようになっている。逆転ローラは、平ベルトの移動方向におけるホッパの下流側に設けられ、硬貨の搬送方向に逆らう方向に回転するようになっている。この逆転ローラは、平ベルトに対して硬貨の厚さよりもわずかに大きな距離だけ離間している。硬貨繰入機構がこのような構成となっていることにより、受入口から受け入れられた硬貨が積層状態で硬貨収納投出装置の内部に搬送されることを抑止することができる。
【０００４】
【特許文献１】特開２００４−３０２５１４号公報
【発明の開示】
【発明が解決しようとする課題】
【０００５】
硬貨収納投出装置の受入口に硬貨が投入される態様としては、以下に述べる２種類のものがある。すなわち、一の態様として、顧客から預かった硬貨を受入口に投入する場合があり、この場合は受入口に投入される硬貨の枚数は数枚程度である。一方、他の態様として、硬貨収納投出装置内における特定の金種の硬貨の枚数がほぼ０となりこの金種の硬貨の補充が必要となる場合があり、この場合は例えば棒金１本に相当する５０枚の硬貨が一度に受入口に投入されることとなる。
【０００６】
前者の場合においては、受入口に投入される硬貨の枚数が少ないので、硬貨繰入機構において問題が発生することはない。しかしながら、後者の場合においては、例えば５０枚の硬貨が一度に受入口に投入されることにより、ホッパ内に硬貨が充満した状態となり、硬貨同士が干渉しあっていわゆるケイリン現象が発生してしまうという問題がある。このようなケイリン現象が発生すると、受入口から受け入れられた硬貨が硬貨収納投出装置の内部に一層一列状態で繰り入れられるまでに時間がかかるおそれがある。なお、ケイリン現象は、逆転ローラが単なる円筒形状であるときに発生しがちである。
【０００７】
このため、図８および図９に示すように、逆転ローラ４０に対して円周方向（逆転ローラの軸に対して垂直な方向、すなわち図８における上下方向）に延びる溝４０ａを例えば２つ設ける方法が考えられる。図８は、従来の硬貨繰入機構における逆転ローラ４０の正面図であり、図９は、図８の逆転ローラ４０の側面図である。溝４０ａの幅は、受入口から受け入れられるべき硬貨の厚さよりも大きなものとなっている。また、各溝４０ａ内には硬貨の攪拌用の突起４０ｂがそれぞれ形成されている。
【０００８】
しかしながら、図８および図９に示すような、円周方向に延びる溝４０ａを有する逆転ローラ４０を用いた場合であっても、硬貨がほぼ立位状態でこの溝４０ａに挿入されることとなるため、逆転ローラ４０が回転すると溝４０ａに挿入された硬貨は突起４０ｂに引っ掛かることにより上方向に循環することとなる。このため、ホッパの高さを十分に大きなものとする必要がある。また、溝４０ａに挿入された硬貨はほぼ立位状態となりながらその位置で回転してしまい、逆転ローラ４０の軸方向（図８の左右方向）には循環しなくなるので、ケイリン現象の発生を十分に抑制することはできなかった。
【０００９】
本発明は、このような点を考慮してなされたものであり、逆転ローラに接触した硬貨がその位置で回転してしまい硬貨が循環しなくなるといういわゆるケイリン現象の発生を抑制することができ、硬貨の十分な攪拌、循環を行うことができ、またこのことにより小型化を図ることができる硬貨処理機構を提供することを目的とする。
本発明の他の目的は、このような硬貨処理機構を備えた硬貨収納投出装置を提供することにある。
【課題を解決するための手段】
【００１０】
本発明は、複数の硬貨を収容することができ、側面に開口を有する収容部と、前記収容部の開口を通過するようこの収容部の底部に配設され、無端状に形成されて循環移動を行い、前記収容部に収容された硬貨を前記開口から外方へ搬送するベルトコンベアと、前記ベルトコンベアの上方において前記収容部の開口を塞ぐよう設けられ、当該ベルトコンベアによる硬貨の搬送方向に対して逆方向に回転する逆転ローラであって、前記硬貨の厚さよりも幅が大きく当該逆転ローラの軸に対する垂直面に対して斜め方向に延びる溝を表面に有する逆転ローラと、を備えたことを特徴とする硬貨処理機構である。
このような硬貨処理機構によれば、逆転ローラの溝が、当該逆転ローラの軸に対する垂直面に対して斜め方向に延びているので、この逆転ローラが回転した場合には、溝に周縁部が挿入された硬貨は傾斜状態となって当該逆転ローラの軸方向に倒れる。このため、逆転ローラに接触した硬貨がその位置で回転してしまい収容部内を硬貨が循環しなくなるといういわゆるケイリン現象の発生を抑制することができ、硬貨を逆転ローラの軸方向に倒すことにより収容部内での硬貨の十分な攪拌、循環を行うことができる。また、収容部内の硬貨を逆転ローラの軸方向に攪拌、循環することができるので、この収容部の高さを小さなものとすることができ、硬貨処理機構自体の小型化を図ることができる。
【００１１】
本発明の硬貨処理機構においては、前記逆転ローラの溝は螺旋形状となっていることが好ましい。
【００１２】
本発明の硬貨処理機構においては、前記逆転ローラの溝は、螺旋形状となっている第１の溝部分と、前記第１の溝部分における螺旋形状に対して逆向きに巻くような螺旋形状となっている第２の溝部分とを有することが好ましい。
【００１３】
本発明の硬貨処理機構においては、前記逆転ローラは、当該逆転ローラの軸に対する垂直面に対して斜め方向に延びる溝の他に、当該逆転ローラの軸に対する垂直面に沿って延びる溝を更に有することが好ましい。
【００１４】
本発明は、上述の硬貨処理機構を備え、当該硬貨処理機構から送られた硬貨を内部に収納するとともに、収納した硬貨の投出を行うよう構成されていることを特徴とする硬貨収納投出装置である。
このような硬貨収納投出装置によれば、上述の硬貨処理機構を硬貨繰入機構として用いることにより、収容部に硬貨が充満した場合であってもこの収容部内を硬貨が循環しなくなるといういわゆるケイリン現象が発生することが抑制されるので、多量の硬貨を一度に受け入れることができる。
【発明の効果】
【００１５】
本発明の硬貨処理機構によれば、逆転ローラに接触した硬貨がその位置で回転してしまい収容部内を硬貨が循環しなくなるといういわゆるケイリン現象の発生を抑制することができ、収容部内での硬貨の十分な攪拌、循環を行うことができる。また、収容部内の硬貨を逆転ローラの軸方向に攪拌、循環することができるので、この収容部の高さを小さなものとすることができ、硬貨処理機構自体の小型化を図ることができる。
【００１６】
本発明の硬貨収納投出装置によれば、上述の硬貨処理機構を硬貨繰入機構として用いているので、多量の硬貨を一度に受け入れることができる。
【発明を実施するための最良の形態】
【００１７】
以下、図面を参照して本発明の実施の形態について説明する。図１乃至図４は、本発明による硬貨処理機構および硬貨収納投出装置の一実施の形態を示す図である。このうち、図１は、本実施の形態による硬貨繰入機構（硬貨処理機構）の逆転ローラの正面図であり、図２は、図１に示す逆転ローラを備えた硬貨収納投出装置を一部水平断面で示す平面図であり、図３は、図２に示す硬貨収納投出装置の一部を側面図として、他の部分を図２のＩ−Ｉライン矢視断面図として示す図であり、図４は、図２に示す硬貨収納投出装置と紙幣収納投出装置とを組み合わせた状態の外観を示す斜視図である。
【００１８】
まず、図２乃至図４により、本実施の形態における硬貨収納投出装置の全体構成について説明する。
【００１９】
図２および図３に示す硬貨収納投出装置１Ａは、例えば、図４に示すように紙幣収納投出装置１Ｂと組み合わされた状態で貨幣入出金システムに用いられる。この貨幣入出金システムとしては、他に図示しないＰＯＳレジスター（販売時点管理機構を有する金銭登録機）等が組み合わされ、硬貨収納投出装置１Ａおよび紙幣収納投出装置１Ｂがそれぞれ硬貨釣銭機および紙幣釣銭機として利用される。釣銭機は、必要に応じて、顧客からの預かり貨幣の入金と釣銭貨幣の出金とを行うためのものである。すなわち、硬貨釣銭機としての硬貨収納投出装置１Ａは、ＰＯＳレジスター等の連携において、必要に応じて、顧客からの預かり硬貨の入金と釣銭硬貨の出金とを行うように構成されている。
【００２０】
図２乃至図４に示すように、硬貨収納投出装置１Ａは、全体として略直方体形状をなす筐体１０を備えている。この筐体１０の長手方向が硬貨収納投出装置１Ａの前後方向となり、筐体１０上面に操作パネル１２の設けられている側が硬貨収納投出装置１Ａの前側となっている。筐体１０上面の操作パネル１２に隣接した部位に、入金硬貨を受け入れる硬貨受入口１４が設けられている。また、操作パネル１２の下方には、出金硬貨等を投出して取り出しに供するための受け皿状の硬貨取出口１６が、前方に突出するようにして設けられている。
【００２１】
図２および図３に示すように、受入口１４から受け入れられた硬貨を一層一列状態で繰り入れるための硬貨繰入機構（硬貨処理機構）２が備えられている。この硬貨繰入機構２は、受入口１４から受け入れられた硬貨を複数収容することができるとともに側面に開口２１ａを有する収容部２１と、収容部２１の開口２１ａを通過するようこの収容部２１の底部に配設されたベルトコンベア２２と、ベルトコンベア２２の上方において収容部２１の開口２１ａを塞ぐよう設けられた逆転ローラ２３とを有している。
収容部２１はホッパ等から構成されており、例えば棒金１本に相当する５０枚程度の硬貨を収容することができるようになっている。
ベルトコンベア２２は例えば平ベルトからなり、受入口１４から受け入れられて収容部２１に収容された硬貨を硬貨収納投出装置１Ａの後方に向かって搬送するようになっている。また、逆転ローラ２３は、ベルトコンベア２２による硬貨の搬送方向に逆らう方向に回転するようになっている（図３の矢印参照）。ここで、ベルトコンベア２２と逆転ローラ２３との離間距離が、受入口１４から受け入れられるべき硬貨の厚さよりもわずかに大きくなるよう、ベルトコンベア２２に対する逆転ローラ２３の配設位置が定められている。
【００２２】
硬貨繰入機構２の後方には、この硬貨繰入機構２によって繰り入れられた硬貨を略水平に案内するための硬貨通路３が延びている。図２に示すように、硬貨通路３は、装置右側に沿って硬貨繰入機構２から装置後部まで延びる第１通路部３ａと、第１通路部３ａの後端から装置左側まで、ほぼ装置横方向に延びる第２通路部３ｂとからなっている。第１通路部３ａおよび第２通路部３ｂの進行方向右側には、それぞれ硬貨の外周縁と当接させるための基準縁３４および３６が設けられている。また、第１通路部３ａにおける基準縁３４の上流側には、硬貨繰入機構２によって繰り入れられた硬貨の外周縁を基準縁３４に当接させるための傾斜縁３２が設けられている。
【００２３】
また、図２および図３に示すように、硬貨通路３に沿って硬貨を搬送するための搬送手段として第１搬送機構４が備えられている。この第１搬送機構４は、硬貨繰入機構２から第１通路部３ａの傾斜縁３２の領域までに対応した補助丸ベルト４ａと、この補助丸ベルト４ａの後部から第２通路部３ｂの終端部までに対応した主丸ベルト４ｂとを有している。
【００２４】
硬貨通路３の下流側には、硬貨を金種によって選別する金種選別部（選別手段）５が設けられている。この金種選別部５は、第１通路部３ａの下流側に設けられた５円選別部５ａと、第２通路部３ｂに設けられた１円選別孔５ｂ、５０円選別孔５ｃ、１００円選別孔５ｄ、１０円選別孔５ｅおよび５００円選別孔５ｆとを有している。
【００２５】
図３に示すように、金種選別部５によって選別された硬貨を金種別に収納する金種別収納部６が設けられている。この金種別収納部６は、５円収納部、１円収納部、５０円収納部、１００円収納部、１０円収納部および５００円収納部を有している。また、図３に示すように、金種別収納部６に硬貨を収納するための第２搬送機構７が設けられており、さらに金種別収納部６から硬貨を選択的に繰り出す硬貨繰出機構（図示せず）が設けられている。硬貨繰出機構によって繰り出された硬貨は、硬貨取出口１６に放出されるようになっている。
【００２６】
次に、本実施の形態による硬貨繰入機構２の各構成要素の詳細について、図１を用いて以下に説明する。図１は、硬貨繰入機構２の逆転ローラ２３を図２および図３の矢印Ａの方向から見た正面図である。
【００２７】
図１に示すように、ベルトコンベア２２の上方において収容部２１の開口２１ａを塞ぐよう配設された逆転ローラ２３には、硬貨の厚さよりも幅が大きな溝２３ａが形成されている。ここで、溝２３ａは、逆転ローラ２３の軸２３ｂに対する垂直面（図１の紙面に対して垂直な面であって、この図１の上下方向に延びる面）に対して斜め方向に延びている。さらに具体的に説明すると、溝２３ａは、逆転ローラ２３の一端２３ｃから他端２３ｄまで当該逆転ローラ２３に例えば３回巻かれるような螺旋形状となっている。
【００２８】
次に、このような構成からなる本実施の形態の硬貨収納投出装置１Ａの全体動作について説明する。
【００２９】
まず、硬貨収納投出装置１Ａへ硬貨を収納する入金動作について説明する。図２において、受入口１４に投入された入金硬貨（釣銭機にあっては預かり硬貨）は、硬貨繰入機構２によって一層一列状態で繰り入れられ、第１搬送機構４によって硬貨通路３に沿って搬送されていく。
【００３０】
ここで、硬貨通路３の第１通路部３ａの上流側に設けられた識別センサ（図示せず）によって５円硬貨であると識別された硬貨は、５円識別部５ａで選別されて金種別収納部６の５円収納部に送り込まれる。他の硬貨は、それぞれ対応する金種の識別孔５ｂ〜５ｆで選別され、金種別収納部６における対応する金種の収納部に送り込まれる。
【００３１】
次に、硬貨収納投出装置１Ａから硬貨を投出する場合には、金種別収納部６における投出すべき金種の収納部から硬貨繰出機構によって出金硬貨（釣銭機にあっては釣銭硬貨）が排出される。この硬貨繰出機構により繰り出された硬貨は、投出硬貨検知手段（図示せず）によって計数され、補助搬送機構（図示せず）によって取出口１６へ投出される。
【００３２】
次に、硬貨繰入機構２の動作についてより詳細に説明する。
受入口１４から受け入れられた硬貨は、収容部２１に収容される。収容部２１に収容された硬貨は、当該収容部２１の底部に設けられたベルトコンベア２２により、開口２１ａを通過して当該収容部２１の外へ搬送される。この際に、ベルトコンベア２２の上方において逆転ローラ２３が開口２１ａを塞ぐように設けられており、この逆転ローラ２３はベルトコンベア２２による硬貨の搬送方向に逆らう方向に回転している。このため、硬貨が積層状態で開口２１ａを通過することを抑止することができ、硬貨を一層一列状態で搬送することができる。
【００３３】
ここで、受入口１４に例えば棒金１本に相当する５０枚程度の硬貨が一度に投入された場合には、収容部２１に硬貨が充満した状態となる。この際に、収容部２１内に充満した硬貨のうち逆転ローラ２３に接触する硬貨は、その周縁部が逆転ローラ２３の溝２３ａに挿入される。そして、この逆転ローラ２３が図１の手前側において下方から上方に向かって回転すると、溝２３ａは螺旋形状に形成されているので、この溝２３ａに挿入された硬貨は溝２３ａの進行方向に沿って直立状態から傾くこととなり、傾斜状態となった硬貨は逆転ローラ２３の軸方向（図１の左右方向）に倒れるようになる。収容部２１に充満された硬貨が逆転ローラ２３の回転により傾斜状態となって当該逆転ローラ２３の軸方向に倒れることにより、収容部２１内で硬貨の攪拌、循環が行われる。
【００３４】
以上のように本実施の形態の硬貨繰入機構（硬貨処理機構）２によれば、逆転ローラ２３の溝２３ａが、当該逆転ローラ２３の軸２３ｂに対する垂直面に対して斜め方向に延びているので、この逆転ローラ２３が回転した場合には、溝２３ａに周縁部が挿入された硬貨は傾斜状態となって当該逆転ローラ２３の軸方向に倒れる。このため、逆転ローラ２３に接触した硬貨がその位置で回転してしまい収容部２１内を硬貨が循環しなくなるといういわゆるケイリン現象の発生を抑制することができ、硬貨を逆転ローラ２３の軸方向に倒すことにより収容部２１内での硬貨の十分な攪拌、循環を行うことができる。また、収容部２１内の硬貨を逆転ローラ２３の軸方向に攪拌、循環することができるので、この収容部２１の高さを小さなものとすることができ、硬貨繰入機構２自体の小型化を図ることができる。
【００３５】
本発明による硬貨繰入機構は、上記の態様に限定されるものではなく、様々の変更を加えることができる。
次に本発明による硬貨繰入機構の変形例につき、図５により説明する。図５において、図１乃至図４に示す実施の形態と同一部分には同一符号を付して詳細な説明を省略する。
本変形例に係る硬貨処理機構は、逆転ローラの溝が一方向のみに巻かれた螺旋形状となっているのではなく互いに逆向きに巻かれた２つの螺旋形状の溝を逆転ローラが有する点が異なるのみであり、他は実質的に図１乃至４に示す実施の形態と同様のものとなっている。
【００３６】
図５に示すように、逆転ローラ２３には２つの螺旋形状の溝部分２３ｅ、２３ｆが設けられている。第１の溝部分２３ｅは、逆転ローラ２３の一端２３ｃから中央部分２３ｇまで当該逆転ローラ２３に巻かれるような螺旋形状となっている。一方、第２の溝部分２３ｆは、逆転ローラ２３の中央部分２３ｇから他端２３ｄまで当該逆転ローラ２３に巻かれるような螺旋形状となっている。ここで、図５に示すように第２の溝部分２３ｆは第１の溝部分２３ｅにおける螺旋形状に対して逆向きに巻くような螺旋形状となっている。また、第１の溝部分２３ｅおよび第２の溝部分２３ｆは、逆転ローラ２３の回転方向に沿って互いに離間するよう形成されており、この逆転ローラ２３が回転したときに溝部分２３ｅ、２３ｆに挿入された硬貨は逆転ローラ２３の軸方向外方に倒れるようになる。
【００３７】
このような逆転ローラ２３を有する硬貨繰入機構２によれば、逆転ローラ２３の溝は、螺旋形状となっている第１の溝部分２３ｅと、第１の溝部分２３ｅにおける螺旋形状に対して逆向きに巻くような螺旋形状となっている第２の溝部分２３ｆとを有しているので、逆転ローラ２３が回転した場合には、溝２３ｅ、２３ｆに周縁部が挿入された硬貨は当該逆転ローラ２３の軸方向両外方に倒れるようになるので、収容部２１内での硬貨の更に十分な攪拌、循環を行うことができる。
【００３８】
本発明による硬貨繰入機構の更なる変形例につき、図６により説明する。図６において、図１乃至図４に示す実施の形態と同一部分には同一符号を付して詳細な説明を省略する。
本変形例に係る硬貨繰入機構は、逆転ローラの溝が一方向のみに巻かれた螺旋形状となっているのではなくこの螺旋形状の溝の他に逆転ローラの円周方向に延びる溝を更に有する点が異なるのみであり、他は実質的に図１乃至４に示す実施の形態と同様のものとなっている。
【００３９】
図６に示すように、逆転ローラ２３には３つの螺旋形状の溝部分２３ｈ、２３ｉ、２３ｊが設けられている。第１の溝部分２３ｈは、逆転ローラ２３の一端２３ｃ近傍において当該逆転ローラ２３に巻かれるような螺旋形状となっている。一方、第２の溝部分２３ｉは、逆転ローラ２３の中央部分２３ｇ近傍において、軸２３ｂに対する垂直面に沿って延びるよう当該逆転ローラ２３を一周している。また、第３の溝部分２３ｊは、逆転ローラ２３の他端２３ｄ近傍に設けられ、第１の溝部分２３ｈにおける螺旋形状に対して逆向きに巻くような螺旋形状となっている。ここで、第１の溝部分２３ｈおよび第３の溝部分２３ｊは、逆転ローラ２３の回転方向に沿って互いに接近するよう形成されており、この逆転ローラ２３が回転したときに溝部分２３ｈ、２３ｉに挿入された硬貨は逆転ローラ２３の軸方向内方に倒れるようになる。
【００４０】
図６に示すような逆転ローラ２３を有する硬貨繰入機構２であっても、図１に示す逆転ローラ２３を有する硬貨繰入機構２と同様の作用効果を得ることができる。
【００４１】
本発明による硬貨繰入機構の更なる変形例につき、図７により説明する。図７において、図１乃至図４に示す実施の形態と同一部分には同一符号を付して詳細な説明を省略する。
本変形例に係る硬貨繰入機構は、逆転ローラの溝が一方向のみに巻かれた螺旋形状となっているのではなく逆転ローラの円周方向に延びる溝を傾けるようにして斜め方向に延びる溝を形成した点が異なるのみであり、他は実質的に図１乃至４に示す実施の形態と同様のものとなっている。
【００４２】
図７に示すように、逆転ローラ２３の一端２３ｃおよび他端２３ｄの近傍に、それぞれ溝部分２３ｋ、２３ｌが設けられている。ここで、溝部分２３ｋは、逆転ローラ２３の一端２３ｃの近傍において、軸２３ｂに対する垂直面に沿って延びる溝、すなわち逆転ローラ２３の円周方向（図７の上下方向）に延びる溝を傾けるようにして形成している。同様に、溝部分２３ｌは、逆転ローラ２３の他端２３ｄの近傍において、円周方向に延びる溝を傾けるようにして形成している。本変形例に係る逆転ローラ２３においては、中央部分２３ｇには溝が設けられていない。
【００４３】
図７に示すような逆転ローラ２３を有する硬貨繰入機構２であっても、図１に示す逆転ローラ２３を有する硬貨繰入機構２と同様の作用効果を得ることができる。
【００４４】
以上においては逆転ローラ２３の様々な態様について説明したが、本発明の硬貨処理機構は上記の態様に限定されることはなく、逆転ローラの溝がこの逆転ローラの軸に対する垂直面に対して斜め方向に延びるようにする限りにおいて他の様々な逆転ローラを用いることができる。
【図面の簡単な説明】
【００４５】
【図１】本発明による硬貨処理機構の逆転ローラの正面図である。
【図２】図１に示す逆転ローラを備えた硬貨収納投出装置を一部水平断面で示す平面図である。
【図３】図２に示す硬貨収納投出装置の一部を側面図として、他の部分を図２のＩ−Ｉライン矢視断面図として示す図である。
【図４】図２に示す硬貨収納投出装置と紙幣収納投出装置とを組み合わせた状態の外観を示す斜視図である。
【図５】本発明による硬貨処理機構の他の逆転ローラの正面図である。
【図６】本発明による硬貨処理機構の更に他の逆転ローラの正面図である。
【図７】本発明による硬貨処理機構の更に他の逆転ローラの正面図である。
【図８】従来の硬貨処理機構における逆転ローラの正面図である。
【図９】図８の逆転ローラの側面図である。
【符号の説明】
【００４６】
１Ａ    硬貨収納投出装置
１Ｂ    紙幣収納投出装置
２      硬貨繰入機構（硬貨処理機構）
３      硬貨通路
３ａ    第１通路部
３ｂ    第２通路部
４      第１搬送機構
４ａ    補助丸ベルト
４ｂ    主丸ベルト
５      金種選別部
５ａ    ５円選別部
５ｂ    １円選別孔
５ｃ    ５０円選別孔
５ｄ    １００円選別孔
５ｅ    １０円選別孔
５ｆ    ５００円選別孔
６      金種別収納部
７      第２搬送機構
１０    筐体
１２    操作パネル
１４    受入口
１６    取出口
２１    収容部
２１ａ  開口
２２    ベルトコンベア
２３    逆転ローラ
２３ａ  溝
２３ｂ  軸
２３ｃ  一端
２３ｄ  他端
２３ｅ  第１の溝部分
２３ｆ  第２の溝部分
２３ｇ  中央部分
２３ｈ  第１の溝部分
２３ｉ  第２の溝部分
２３ｊ  第３の溝部分
２３ｋ、２３ｌ  溝部分
３２    傾斜縁
３４、３６  基準縁
４０    逆転ローラ
４０ａ  溝
４０ｂ  突起
【図１】
0004832901.tif 000002
【図２】
0004832901.tif 000003
【図３】
0004832901.tif 000004
【図４】
0004832901.tif 000005
【図５】
0004832901.tif 000006
【図６】
0004832901.tif 000007
【図７】
0004832901.tif 000008
【図８】
0004832901.tif 000009
【図９】
0004832901.tif 000010